(57)【要約】  【課題】  イオン発生・吹出装置への給電配線を簡素化すること。  【解決手段】  温水洗浄便座装置において、人体局部洗浄機構を収容するケースの袖部の内部に温水タンクを収容しないようにして、イオン発生・吹出装置を、人体局部洗浄機構を操作するための機構の下側に位置すべく袖部の内部に設けるようにした。  【選択図】  図３
2005105526.tif 000002
【特許請求の範囲】
【請求項１】
便器の後部上側に固定され且つ前記便器の幅方向に延在するケースと、前記ケースに後部が枢着された便座と、前記ケース内の一方側に配設された電磁弁と、前記ケース内の他方側に配設された温水タンクと、前記ケースの内の略中央部に位置し且つ前記便器内に延在するノズルを有する人体局部洗浄機構と、前記ケースの一方側から前方に延在する袖部に設けられて、制御回路をして前記電磁弁を開いて給水源からの水圧を前記温水タンク内に供給せしめることにより前記温水タンク内の温水を押し出して前記ノズルから噴射せしめる操作機構とを備える温水洗浄便座装置において、正負のイオンを発生し且つこのイオンを拡散するイオン発生・吹出装置を、単独で若しくは他の構成要素と共に、前記操作機構の下側に位置すべく前記袖部の内部に設けた、温水洗浄便座装置。
【請求項２】
便器の後部上側に固定され且つ前記便器の幅方向に延在するケースと、前記ケースに後部が枢着された便座と、前記ケース内に配設された電磁弁と、前記ケースの内に配設された温水タンクと、前記ケースの内の略中央部に位置し且つ前記便器内に延在するノズルを有する人体局部洗浄機構と、前記ケースの一方側から前方に延在する袖部に設けられて、制御回路をして前記電磁弁を開いて給水源からの水圧を前記温水タンク内に供給せしめることにより前記温水タンク内の温水を押し出して前記ノズルから噴射せしめる操作機構と、前記ケースの内に設けられて、正負のイオンを発生し且つこのイオンを前記便器が設置されたトイレ空間内に拡散するイオン発生・吹出装置とを備えた温水洗浄便座装置において、前記イオン発生・吹出装置は、使用者が前記トイレ空間内に不在の時、前記正イオンの発生量を前記負イオンの発生量を略同じくし、使用者が前記トイレ空間内に滞在中は前記負イオンの発生量を前記正イオンの発生量よりも多くするようにした、温水洗浄便座装置。
【発明の詳細な説明】
【技術分野】
【０００１】
本発明は、温水洗浄便座装置に関し、特にイオン発生装置を併有する温水洗浄便座装置に関する。
【背景技術】
【０００２】
周知のように、マイナスイオンの生体に対する優れた効果（例えばリラックス効果や、様々な病気の症状を軽減したり、治癒したりする効果）を奏することから、温水洗浄便座装置においても、イオン発生装置を併有するものがある（例えば、特許文献１参照）。この温水洗浄便座装置が併有するイオン発生装置は、トイレ空間の壁面に装着され、発生したマイナスイオンを、リモコン制御で、主として、便座に着座する使用者の胸部に向けて吹き出すようになっている。
【特許文献１】特開平１０−２５８１１５号公報
【発明の開示】
【発明が解決しようとする課題】
【０００３】
上記した従来の温水洗浄便座装置に併設されるイオン発生装置は、トイレ空間の壁面に装着されているので、イオン発生装置の固有の電源を準備せざるを得ない。しかして、イオン発生装置は発生したマイナスイオンを、リモコン制御で、主として、便座に着座する使用者の胸部に向けて吹き出すようになっているので、モータを内蔵しており、このモータは、電池駆動では対応できない。したがって、モータを含むイオン発生装置の固有の電源は、ＡＣ電源をとならざるを得ず、その配線は、壁面内を通過し、施工の困難を伴う。
【０００４】
それ故に、本発明は、かような不具合がない温水洗浄便座装置を提供することを、その課題とする。
【課題を解決するための手段】
【０００５】
上記の課題を解決するために請求項１で講じた技術的手段は、「便器の後部上側に固定され且つ前記便器の幅方向に延在するケースと、前記ケースに後部が枢着された便座と、前記ケース内の一方側に配設された電磁弁と、前記ケース内の他方側に配設された温水タンクと、前記ケースの内の略中央部に位置し且つ前記便器内に延在するノズルを有する人体局部洗浄機構と、前記ケースの一方側から前方に延在する袖部に設けられて、制御回路をして前記電磁弁を開いて給水源からの水圧を前記温水タンク内に供給せしめることにより前記温水タンク内の温水を押し出して前記ノズルから噴射せしめる操作機構とを備える温水洗浄便座装置において、正負のイオンを発生し且つこのイオンを拡散するイオン発生・吹出装置を、単独で若しくは他の構成要素と共に、前記操作機構の下側に位置すべく前記袖部の内部に設けた、温水洗浄便座装置」を構成したことである。
【０００６】
上記の課題を解決するために請求項２で講じた技術的手段は、「便器の後部上側に固定され且つ前記便器の幅方向に延在するケースと、前記ケースに後部が枢着された便座と、前記ケース内に配設された電磁弁と、前記ケースの内に配設された温水タンクと、前記ケースの内の略中央部に位置し且つ前記便器内に延在するノズルを有する人体局部洗浄機構と、前記ケースの一方側から前方に延在する袖部に設けられて、制御回路をして前記電磁弁を開いて給水源からの水圧を前記温水タンク内に供給せしめることにより前記温水タンク内の温水を押し出して前記ノズルから噴射せしめる操作機構と、前記ケースの内に設けられて、正負のイオンを発生し且つこのイオンを前記便器が設置されたトイレ空間内に拡散するイオン発生・吹出装置とを備えた温水洗浄便座装置において、前記イオン発生・吹出装置は、使用者が前記トイレ空間内に不在の時、前記正イオンの発生量を前記負イオンの発生量を略同じくし、使用者が前記トイレ空間内に滞在中は前記負イオンの発生量を前記正イオンの発生量よりも多くするようにした、温水洗浄便座装置」を構成したことである。
【発明の効果】
【０００７】
請求項１に記載の発明によれば、イオン発生・吹出装置を、単独に若しくは他の構成要素と共に、袖部の内部に設けたので、制御回路へのＡＣ電源を駆動電源として共用乃至は援用でき、配線が簡単になる。しかも、単独設置の場合、袖部の内部空間をイオン発生・吹出装置のみが占有し、袖部の容積を、他の構成要素の占有分だけ、小さくできる。また、袖部内に、イオン発生・吹出装置を他の構成要素、例えば温水タンクと共に設置した場合は、装置全体における配線距離を短縮できる（温水タンクをケース内に配置した場合に比べて）。
【０００８】
請求項２に記載の発明によれば、通常、正イオンの発生量を負イオンの発生量を略同じくしてトイレ空間内の空気を清浄化でき、トイレ空間内に使用者が滞在中は負イオンの発生量を正イオンの発生量よりも多くするようにして使用者にリフレッシュ感を付与することが出来、清浄なトイレ環境の下で、使用者はリフレッシュが出来、トイレ空間を単なる排泄場所としてではなく、癒しの場とならしめることが出来る。
【発明を実施するための最良の形態】
【０００９】
以下、添付図面に依拠して、本発明にかかる温水洗浄便座装置の最良の実施形態について説明する。
【００１０】
図１〜図３において、温水洗浄便座装置１０は、便器１２の後部上面に固定されるケース１４を備える。ケース１４の中央膨出部１４Ａには便座９４及び便蓋９６が共通のピン（図示略）により枢着されている。ケース１４の一方側には、後述するように、袖部１４Ｂが一体形成されており、この袖部１４Ｂには操作部２４が一体的に設けられる。ケース１４内には、第１制御回路２０、第２制御回路３０、電磁弁４０、ヒータ５２により加熱された温水を貯溜する温水タンク５０及びノズル機構６０が配設されている。
【００１１】
ケース１４の内部の一方側に配置される電磁弁４０は、ホース４２を介して給水源４８と、ホース４４を介して温水タンク５０と、夫々、連結されている。操作部２４が操作されると、第１制御回路２０の作用により、電磁弁４０が開かれ、水圧が給水源４８から温水タンク５０内に導入される。すると、温水タンク５０内の温水が、切換弁６６を介して肛門洗浄用ノズル６２（ビデ洗浄ノズル６４）に押し出されて、肛門洗浄用ノズル６２（ビデ洗浄ノズル６４）を便器１２内に伸長し、この温水が、周知のように、肛門洗浄用ノズル６２（ビデ洗浄ノズル６４）から噴射されて、使用者の肛門（ビデ）を洗浄する。何れのノズルに温水が供給されるかは、操作部２４の押されたスイッチに依存する切換弁６６の作用位置による。
【００１２】
温水タンク５０は、ケース１４の内部の他方側に配置される。温水タンク５０内の水はヒータ５２により加熱される。水温は、温度センサ５４により常時、検知されており、当該温度が信号として、第２制御回路３０のＣＰＵ３２に送られる。ＣＰＵ３２は水温が所定値に達したら、トライアック３４を断続させて電源９０からヒータ２２への通電制御をなし、常時、水温を所定値に維持するようになっている。
【００１３】
ケース１４の中央膨出部１４Ａには、外部に露呈するセンサ装置８８が設けられている。センサ装置８８は、詳細な説明は省略するが、赤外線を放射して便器１２へ近づく人の有無（つまり便器１２が設置されるトイレ空間への人の入場の有無）を検知する人検知センサ部（図示略）と赤外線を放射して便座９４上の人の有無（つまり着座者の有無）を検知する着座センサ（図示略）とから構成されている。人検知センサ部は、便蓋９６の開閉如何にかかわらず、作動可能となっている。
【００１４】
図１を再度、参照すると、ケース１４内の一方側及び他方側には、夫々、電磁弁４０及び温水タンク５０が配設されている。電磁弁４０と温水タンク５０とを連結するホース４４は、ケース１４の長手方向（便器１２の幅方向）に、延在する。第１制御回路２０及び第２制御回路３０は、温水タンク５０に近接して配置される。しかして、温水タンク５０からは、内部に温水を貯溜していることから、外部に低くない温度の熱を放熱する。第１制御回路２０及び第２制御回路３０は、この放熱を受ける。また、第１制御回路２０及び第２制御回路３０は、温度が低い水が供給される電磁弁４０から離隔して配置され、電磁弁４０の周囲の冷気環境から、影響を受けないようになっている。かくて、第１制御回路２０及び第２制御回路３０は、温水タンク５０からの放射熱受容と電磁弁４０からの冷気の隔離により、結露の危惧から解放され、装置の信頼性が格段に向上する。
【００１５】
しかして、操作部２４が袖部１４Ｂに設けられており、操作部２４のスイッチが袖部１４Ｂの上面から外部に露呈され、使用者により、操作される。いずれかのスイッチが押されると、信号が第１制御回路２０及び第２制御回路３０に送られ、上記した肛門洗浄及びビデ洗浄並びに他の作動がなされる。第１制御部２０及び第２制御部３０へは、電源９０から給電される電源回路（図示略）からは、直流が供給される。
【００１６】
袖部１４Ｂの内部には、イオン発生・吹出装置１００が、操作部２４の下側に位置するように設置されている。後で詳しく説明するように、このイオン発生・吹出装置１００でプラズマ放電により生成されたイオンが、ケース１４の袖部１４Ｂの先端部に形成された吹き出し穴群１４Ｈから、便器１２が設置されたトイレ空間全体に放出されるようになっている。
【００１７】
図５及び図６に依拠して、イオン発生・吹出装置１００について詳説する。イオン発生・吹出装置１００は、箱断面のダクト１０２（つまり断面が矩形枠のダクト１０２）を備える。ダクト１０２の前方は開放されており、吹き出し口１０４として機能する。吹き出し口１０４は、ケース１４の袖部１４Ｂの先端部に形成された吹き出し穴群１４Ｈと近接する。ダクト１０４の側面１０６には、イオン発生器１１０が、そのイオン発生面１１２がダクト１０２内部に露呈するように、配設される。イオン発生器１１０は、制御部１３０からの信号に応じて、イオン発生面１１２において放出されるプラスイオンとマイナスイオンとの比率を調整する。制御部１３０への給電は、ＡＣ電源９０から供給された電流を所定の電圧まで降下・整流する電源回路１３２によりなされる。
【００１８】
ダクト１０２の後方には、ファン装置１２０が配設される。ファン装置１２０は、ダクト１０２の後方に設置されてモータ１２８で駆動されるファン１２２とダクト１０２内にイオン発生面１１２と平行になるようにダクト前後方向に延在すべく配設された整流板１２６を備える。ファン装置１２０は、イオン発生器１１０と同様、制御部１３０の統制下にあり、ファン１２２の回転数が制御可能となっている。整流板１２６は、ダクト１０４の上壁から垂下する。このような整流板１２６は、ファン装置１２０が生成した風を、イオン発生面１０２に沿わせて、ダクト１０４から放出することが可能となる。ダクト１０４から風と共に放出されたイオンは、ケース１４の袖部１４Ｂの先端部に形成された吹き出し穴群１４Ｈから、トイレ空間全体に、ムラ無く行き渡る。しかしてイオン発生面１１２に沿う風速とイオン発生量は、周知のように、比例するので、整流板１２６はファン装置１２０が生成した風を最大限に利用して、イオン発生量を最大化できる。
【００１９】
また、整流板１２６の延在方向と風の流れ方向とは平行に設定されているので、整流板１２６が風の流れを妨げたり、ダクト１０４の開口を狭めたりすることはない。かくして、整流板１２６の延在方向をファン１２８の回転方向と平行に設けた場合と比べ、風速が格段に増加する。
【００２０】
前述したように、イオン発生器１１０は、制御部１３０からの信号に応じて、イオン発生面１１２において放出されるプラスイオンとマイナスイオンとの比率を調整する。その具体的態様は、次の通りである。すなわち、イオン発生ボタン２４８を押すと、イオン発生器１１０が作動し、制御部１３０はイオン発生器１１０をして、マイナスイオンの割合がプラスイオンの割合とが略同等になるように、プラズマ放電により、マイナスイオン及びプラスイオンを発生させる。発生されたマイナスイオン及びプラスイオンは、ファン１２２の回転作用により、ケース１４の袖部１４Ｂの先端部に形成された吹き出し穴群１４Ｈから、トイレ空間全体に、満遍なく吹き出される。トイレ空間内に拡散されたマイナスイオン及びプラスイオンは、空気中を浮遊しているウイルス、カビ菌、臭いの分子等と化学反応して、これらの物質を不活性化ないしは無害化し、もってトイレ空間内の空気を清浄化する。この空気清浄化作用を行うようなイオン発生器１１０の作動を「クリーンモード」と称すれば、制御部１３０は、イオン発生ボタン２４８が押されると、５０分間の「クリーンモード」での作動と１０分間の停止とを繰り返すように、イオン発生器１１０を制御する。つまり、イオン発生器１１０の「クリーンモード」作動を周期的的に行う。このイオン発生器１１０の「クリーンモード」作動が周期的的になされている間に、再度、イオン発生ボタン２４８が押されると、イオン発生器１１０は、無期限の停止状態（次にイオン発生ボタン２４８が押されない限り、停止状態が維持される状態）となる。尚、上記した作動時間及び停止時間は、夫々、５０分及び１０分としたのは、単なる例示であって、この値に限定する趣旨ではない。
【００２１】
センサ装置８８の人検知センサ２が便器１２へ近づく人（つまり便器１２が設置されるトイレ空間へ入場する人）を検知した後、着座センサ部が便座９４上の人（つまり着座者）を検知すると、制御部１３０はイオン発生器１１０をして、マイナスイオンの割合がプラスイオンの割合よりも大きくなるように、プラズマ放電により、マイナスイオン及びプラスイオンを発生させる（イオン発生器１１０の「リフレッシュモード」作動）。これは、マイナスイオンの発生・放出量をプラスイオンの発生・放出量よりも多くして、使用者をリラックスできるようにするためである。しかして、このイオン発生器１１０の「リフレッシュモード」作動は、使用者が便座９４から立ち上がるまで、継続される（トイレ空間から退出するまで、と設定しても良い）。イオン発生器１１０の「リフレッシュモード」作動が停止されると、前述したイオン発生器１１０の「クリーンモード」の周期的作動が、自動的になされる。しかして、イオン発生器１１０の「リフレッシュモード」作動は、「クリーンモード」の周期的作動の後になされるので、清浄化された空気ないしは雰囲気の中でのレフレッシュ感を得ることが出来る。
【００２２】
イオン発生器１１０の「クリーンモード」の周期的作動と、「リフレッシュモード」作動との間の切替は、他の態様を採用することが出来る。その一例を、図７の流れ図に示す。この例においては、便座９４と便蓋９６とは、自動開閉装置（図示略）により、個別に開閉されることを前提としている。処理手順の内容は、流れ図に詳細に書いてあるので、説明は省略する。
【００２３】
以上述べた温水洗浄便座装置の最良の形態例の、格別の作用効果のうち、特筆されるべき、次の通りである。
【００２４】
（１）イオン発生・吹出装置１００を袖部１４Ｂの内部に設けたので、人体局部洗浄機構６０用のＡＣ電源９０を駆動電源として共用乃至は援用でき、配線が簡単になる。
【００２５】
（２）イオン発生・吹出装置１００を袖部１４Ｂの内部空間に単独設置した場合は、袖部１４Ｂの内部空間をイオン発生・吹出装置１００のみが占有し、袖部１４Ｂの容積を、他の構成要素の占有分だけ、小さくできる。また、袖部１４Ｂの内に、イオン発生・吹出装置１００を他の構成要素、例えば温水タンクと共に設置した場合は、装置全体における配線距離を短縮できる（温水タンクをケース内に配置した場合に比べて）。
【００２６】
（３）正負のイオンの発生量を便座９４の着座状態（トイレ空間内の人の有無）に応じて変更して、トイレ空間内の空気の清浄化とトイレ空間内のレフレッシュ雰囲気化との切り替えを適宜行える。また、清浄化された環境での使用者のリフレッシュがなされることで、トイレ空間が単なる排泄場所ではなく、癒しの場所としても活用できる。
【００２７】
以上、本発明の実施の形態について説明したが、本発明は上述した実施の形態に限定される意図はなく、本発明の趣旨に沿った形態の温水洗浄便座装置であれば、どのようなものでもよい。
【図面の簡単な説明】
【００２８】
【図１】本発明の最良形態例に係る温水洗浄便座装置の全体平面概略説明図。
【図２】図１に示す温水洗浄便座装置の側面図。
【図３】図１に示す温水洗浄便座装置の人体局部洗浄機構のブロック図。
【図４】図１に示す温水洗浄便座装置のケースの袖部の平面詳細図。
【図５】図１に示す温水洗浄便座装置のイオン発生・吹出装置の水平断面図。
【図６】図５のＡ方向矢視図。
【図７】図５に示すイオン発生・吹出装置の作動例の手順を示す流れ図。
【符号の説明】
【００２９】
１２  便器
１４  ケース
１４Ｂ  袖部
２０  第１制御回路（制御回路）
２４  操作機構
４０  電磁弁
５０  温水タンク
６０  ノズル機構
１００  イオン発生・吹出装置
１１０  イオン発生器
【図１】
2005105526.tif 000003
【図２】
2005105526.tif 000004
【図３】
2005105526.tif 000005
【図４】
2005105526.tif 000006
【図５】
2005105526.tif 000007
【図６】
2005105526.tif 000008
【図７】
2005105526.tif 000009